(57)【要約】【課題】田畑に埋設した暗渠管内に、付着した泥土を取り除き、目詰まりを除去するための暗渠清掃装置。また、暗渠排水管を利用した作物への、地下灌漑装置の提供。【解決手段】灌漑用水路からの用水を給水桝」」桝１に取り入れ、メッシュスクリーン３を通過して連絡渠７に注水し、暗渠排水管に継なぎ一時的な多量通水により、泥土を排出する。又、暗渠排水管の出口水甲を止めて、地下水位を上昇させ、作物への地下灌漑を行う。【選択図】        図３
2004324390.tif 000002
【特許請求の範囲】
【請求項１】
灌漑用水路から、導水管で給水桝に用水を取り入れ、上げ底なメッシュスクリーンでゴミを除去し、連絡渠からの空気を抜き、連絡渠を通して暗渠排水管に注水し、一時的な多量通水により強制流下させ、暗渠排水管の泥土を取り除き、目詰まりを除去する為の暗渠排水管清掃装置で、管水路や開水路タイプに合い、暗渠排水管を利用した作物の地下灌漑を行う、暗渠灌漑清掃装置である。
【発明の詳細な説明】
【０００１】
【発明の属する技術分野】
田畑等の地中に暗渠排水管が布設されているが、本発明はこの暗渠排水管の目詰まり除去のため、用水路から上記装置を介して従来の暗渠排水管に接続し、用水を注入する事により、容易に暗渠管の清掃や、作物の地下灌漑が出来る、暗渠灌漑清掃装置に関するものである。
【０００２】
【従来の技術】
従来では、特開２００３−１０８０３に記載されているように、暗渠管内に固着した泥やゴミを除去し、暗渠排水機能の回復を図るには、立ち上がり管や暗渠排水管下流から噴射ノズルを用いて洗浄する方法であった。
【０００３】
【発明が解決しようとする課題】
暗渠管内に付着した泥土やゴミを除去し、暗渠排水機能の回復を図るための清掃には、ジェットノズルを使用すれば、労力がかかる問題と田、畑の冠水には、スプリンクラーを使用すれば、地表が過湿となり外の作業に支障が生じるという問題がある。
【０００４】
本発明は、暗渠排水管の清掃と田畑の地下灌漑が容易に出来る、暗渠灌漑清掃装置を提供する事である。
【０００５】
【課題を解決するための手段】
田畑に埋設した暗渠排水管内に、付着した泥土を取り除く為に暗渠排水管の洗浄方法として、灌漑用水路から、導水管で給水桝に用水を取り入れ、上げ底なメッシュスクリーンでゴミを除去し、連絡渠からの空気を抜き、連絡渠を通して暗渠排水管に注水し、一時的な多量通水により強制流下させ、暗渠排水管の泥土を取り除き、目詰まりを除去する為の暗渠排水管清掃装置で、管水路や開水路タイプに合い、暗渠排水管を利用した作物の、地下灌漑を行う、暗渠灌漑清掃装置。
【０００６】
【発明の実施の形態】
発明の実施の形態を実施例にもとずき図面を参照して説明する。
【図１】は、一般的な田畑の圃場平面図と暗渠灌漑清掃装置位置を示している。暗渠灌漑清掃装置に用水路から用水を取り入れ、連絡渠７を通り暗渠排水管６に注水し、暗渠排水管６末流の水甲を一気に開放し、一時的な多量通水により、暗渠排水管６に付着した泥土を排水路９に排出し、清掃する。又、水甲を閉じて地下水位を上昇させ、地下灌漑を行うものである。水甲は、竪式水甲、ネジ式水甲どちらでも良い。
又、暗渠灌漑清掃装置の設置位置は、暗渠排水管６の上流が望ましいが、用水路の位置によっては、下流になる場合があるが支障はない。
暗渠配線が直接排水型の場合は連絡渠７がいるが、異なる配線の場合は、直接暗渠排水管６に継ないでもかまわない。但し、連絡渠７を用いれば、農道８際の枕地排水が良くなる。
連絡渠７の口径は、φ１２５ｍｍが望ましいが、圃場の大きさによって異なってもかまわない。又、材質は合成樹脂管が望ましいが、素焼土管や他の材質でもかまわない。
【図２】は、灌漑用水が管水路タイプの上面図で、左側は塩ビ管１３、右側は暗渠灌漑清掃装置である。
【図３】は、灌漑用水が管水路タイプの側面図で、左側は塩ビ管１３、右側は暗渠灌漑清掃装置である。塩ビ管１３から用水が、散水弁１２で調節され取りだし桝１１に分水される。その用水をシャター１０で調節し、導水管１５を通り給水桝１に送る。
導水管１５は、フレキシブルパイプが望ましいが、管であれば給水桝１に継ながるので材質は、何でも良い。又、給水桝１は、ＦＲＰ桝が望ましいがコンクリート桝、鉄桝でもかまわないしシャッター１０がなければ、給水桝１に付ける事も可能である。給水桝１は、使用しない時期や冬期間は、蓋をする事が望ましい。給水桝１に直接分水を受ける事が出来るが、一度は給水桝１に給水するのである。それは、水圧が強いと暗渠排水管６の上流から、地表に水が吹き出し、暗きょ排水管６の下流まで用水が届かないので、一度開放し水圧を押さえて、自然圧で注水する為である。
次に、用水路からのゴミを除去する為に、メッシュスクリーン３を置くが、給水桝１の底に設置した方が安定するし、ゴミの取りだしが簡単である。
次に、給水桝１底の注水管より分岐したエアー抜き２を設置するが、連絡渠７及び暗渠排水管６からの空気戻りを抜き、安定した注水を行う為である。材質は塩ビ管が望ましいが、他の材質でもかまわない。口径は、φ５０ｍｍが望ましいが、空気が抜ければかまわない。
エアー抜き２の位置は、給水桝１の角の方が良いが、草刈等農作業に支障のない位置に設置してもかまわない。又、エアー抜き２の先端の方向は、給水桝１側ではなく、外側でもかまわない。
【図４】は、灌漑用水が開水路タイプの上面図で、左側はコンクリートトラフ１４、右側は暗渠灌漑清掃装置である。
【図５】は、灌漑用水が開水路タイプの側面図で、左側はコンクリートトラフ１４、右側は暗渠灌漑清掃装置である。
暗渠灌漑清掃装置への開水路からの注水は、コンクリートトラフ１４が望ましいが、他の材質でもかまわない。又、シャッター１０がなければ、給水桝１に設置する事が出来る。
【図６】は、メッシュスクリーン３の詳細平面図である。細目になっているので、小さなゴミを除去出来るが、大きめでもかまわない。又、材質は、錆びないステンレスが望ましいが、他の材質でもかまわない。
【図７】は、メッシュスクリーン３の詳細側面図である。ガイド枠４を付けて上げ底となり、外枠一面にスクリーン効果が表れ、ゴミの除去する回数が減り、長時間注水できる。又、注水能力が高まる事で、給水桝１が小型になり、畦畔に設置できる。材質は、錆びないステンレスが望ましいが、他の材質でもかまわない。
メッシュスクリーン３の側に取っ手５を付けてあるが、ゴミの除去に持ちやすいからである。柄の長さは、給水桝１の天端より出なくし、蓋の邪魔にならない様にする。取っ手５は、丸型が望ましいが、他の形でもかまわない。又、材質は、錆びないステンレスが望ましいが、他の材質でもかまわない。
【０００７】
【発明の効果】
本発明は、暗渠管内に付着した泥土を除去し、暗渠排水機能の回復を図るための清掃には、灌漑用水を取り入れ、自然圧を利用するので、労力がいらない。また、ゴミは、メッシュスクリーンで、除去するので付かない。また、田畑の作物の冠水には、地表からではなく、地下から灌漑を行うため、地表面がベタずかない。また、圃場内の地表に、灌漑用施設がないので、農作業機械の運行や他作業に支障がない。
【図面の簡単な説明】
【図１】一般的な、田畑の圃場平面図である。
【図２】一実施例を示す上面図である。
【図３】
【図２】における側面図である。
【図４】他の実施例における上面図である。
【図５】
【図４】における側面図である。
【図６】メッシュスクリーンの平面図である。
【図７】メッシュスクリーンの側面図である。
【符号の説明】
１    給水桝
２    エアー抜き
３    メッシュスクリーン
４    ガイド枠
５    取っ手
６    暗渠排水管
７    連絡渠
８    農道
９    排水路
１０  シャター
１１  取りだし桝
１２  散水弁
１３  塩ビ管
１４  コンクリートトラフ
１５  導水管
【図１】
2004324390.tif 000003
【図２】
2004324390.tif 000004
【図３】
2004324390.tif 000005
【図４】
2004324390.tif 000006
【図５】
2004324390.tif 000007
【図６】
2004324390.tif 000008
【図７】
2004324390.tif 000009